(57)【要約】【課題】集客能力を向上させ、出展者にとって積極的に情報を配信することができる移動可能な来場者ＩＤ取得装置を提供する。【解決手段】来場者を識別するための来場者ＩＤを含む情報を来場者ＩＤ取得装置から受信し、受信した来場者ＩＤに基づいて配信対象の携帯端末にコンテンツを配信する情報配信装置に用いられる移動可能な来場者ＩＤ取得装置であって、前記携帯端末とともに来場者によって携帯された前記来場者ＩＤを記憶した記録媒体から該来場者ＩＤを読み出す受信部と、前記受信部によって受信された来場者ＩＤを無線によって前記情報配信装置に送信する送信部とを有する。【選択図】　図１
2004102629.tif 000002
【特許請求の範囲】
【請求項１】
来場者ＩＤに基づいて配信対象の携帯端末にコンテンツを配信する情報配信装置にコンテンツの配信を要求する移動可能な来場者ＩＤ取得装置であって、
前記携帯端末とともに来場者によって携帯された前記来場者ＩＤを記憶した記録媒体から該来場者ＩＤを読み出す受信部と、
前記受信部によって受信された来場者ＩＤを無線によって前記情報配信装置に送信する送信部と
を有することを特徴とする移動可能な来場者ＩＤ取得装置。
【請求項２】
来場者ＩＤ取得装置の装置ＩＤに応じたコンテンツを来場者ＩＤに基づいて配信対象の携帯端末にコンテンツの配信を要求する情報配信装置に用いられる移動可能な来場者ＩＤ取得装置であって、
前記携帯端末とともに来場者によって携帯された前記来場者ＩＤを記憶した記録媒体から該来場者ＩＤを読み出す受信部と、
前記受信部によって受信した来場者ＩＤと自身に設定された装置ＩＤとを対応付けて来場者ＩＤ取得情報を生成する制御部と、
前記制御部によって生成された来場者ＩＤ取得情報を無線によって前記情報配信装置に送信する送信部と
を有することを特徴とする移動可能な来場者ＩＤ取得装置。
【請求項３】
コンテンツをコンテンツカテゴリ情報に対応付けて記憶するコンテンツデータベースと、コンテンツを選択するコンテンツ選択情報に対応するコンテンツを前記コンテンツデータベースから読み出して、来場者ＩＤ取得装置から受信する来場者を識別するための来場者ＩＤに基づいて、配信対象の携帯端末にコンテンツを配信する情報配信装置に用いられる移動可能な来場者ＩＤ取得装置であって、
前記携帯端末とともに来場者によって携帯された前記来場者ＩＤを記憶した記録媒体から該来場者ＩＤを読み出す受信部と、
前記携帯端末に配信するコンテンツのカテゴリを選択してコンテンツカテゴリ選択情報を入力するためのコンテンツカテゴリ選択部と、
自身に設定された装置ＩＤと前記受信部によって受信した来場者ＩＤと前記コンテンツカテゴリ選択部によって選択されたコンテンツのカテゴリを無線によって前記情報配信装置に送信する送信部と
を有することを特徴とする移動可能な来場者ＩＤ取得装置。
【請求項４】
前記移動可能な来場者ＩＤ取得装置は、携帯されて移動可能であることを特徴とする請求項１から請求項３のうちいずれかに記載の移動可能な来場者ＩＤ取得装置。
【請求項５】
来場者を識別するための来場者ＩＤを取得し、取得した来場者ＩＤとコンテンツカテゴリ選択部から入力されるコンテンツのカテゴリを選択するためのコンテンツカテゴリ選択情報とを送信する来場者ＩＤ取得装置と、前記来場者ＩＤ取得装置に接続される情報配信装置とからなる情報配信システムにおける情報配信装置であって、
コンテンツをカテゴリに分類する配信カテゴリ情報とコンテンツとを対応付けて記憶するコンテンツデータベースと、
コンテンツカテゴリ選択情報と来場者ＩＤとを前記来場者ＩＤ取得装置から受信し、受信したコンテンツカテゴリ選択情報に対応するコンテンツを前記コンテンツデータベースから読み出し、受信した来場者ＩＤに基づいて、読み出したコンテンツを配信対象の携帯端末に配信する配信部と、
を有することを特徴とする情報配信装置。
【請求項６】
来場者を識別するための来場者ＩＤを取得して自身に設定された装置ＩＤを付加して来場者ＩＤ取得情報として送信する移動可能な来場者ＩＤ取得装置と、
来場者ＩＤを取得して自身に設定された装置ＩＤを付加して来場者ＩＤ取得情報として送信する固定された来場者ＩＤ取得装置と、
該移動可能な来場者ＩＤ取得装置と該固定された来場者ＩＤ取得装置とに接続され配信対象の携帯端末にコンテンツを配信する情報配信装置と、からなる情報配信システムにおける情報配信装置であって、
前記移動可能な来場者ＩＤ取得装置と前記固定された来場者ＩＤ取得装置とのうちいずれか一方または前記移動可能な来場者ＩＤ取得装置と前記固定された来場者ＩＤ取得装置との両方から送信される来場者ＩＤ取得情報を受信する受信部と、
前記受信部が受信した来場者ＩＤ取得情報を記憶する来場者プロファイルデータベースと、
来場者ＩＤ取得情報の受信履歴に応じて携帯端末に配信するコンテンツを決定するためのアクションルールに基づいて、前記来場者プロファイルデータベースに記憶された来場者ＩＤ取得情報の履歴に応じたコンテンツをコンテンツデータベースから読み出し、読み出したコンテンツを前記来場者ＩＤに応じた配信対象となる携帯端末に配信する配信部と、
を有することを特徴とする情報配信装置。
【請求項７】
携帯端末とともに携帯された来場者ＩＤを記録した記録媒体から移動可能な来場者ＩＤ取得装置によって来場者ＩＤを取得し、取得した来場者ＩＤに基づいて、配信対象の携帯端末にコンテンツを配信することを特徴とする情報配信方法。
【請求項８】
来場者を識別するための来場者ＩＤを取得し、取得した来場者ＩＤとコンテンツカテゴリ選択部から入力されるコンテンツのカテゴリを選択するためのコンテンツカテゴリ選択情報とを送信する来場者ＩＤ取得装置と、前記来場者ＩＤ取得装置に接続される情報配信装置とからなる情報配信システムにおける情報配信装置に用いられる情報配信プログラムであって、
コンテンツカテゴリ選択情報と来場者ＩＤとを前記来場者ＩＤ取得装置から受信するステップと、
受信したコンテンツカテゴリ選択情報に対応するコンテンツをコンテンツをカテゴリに分類する配信カテゴリ情報とコンテンツとを対応付けて記憶するコンテンツデータベースから読み出すステップと、
受信した来場者ＩＤに基づいて、読み出したコンテンツを配信対象の携帯端末に配信するステップと
をコンピュータに実行させるための情報配信プログラム。
【請求項９】
来場者を識別するための来場者ＩＤを取得して自身に設定された装置ＩＤを付加して来場者ＩＤ取得情報として送信する移動可能な来場者ＩＤ取得装置と、
来場者ＩＤを取得して自身に設定された装置ＩＤを付加して来場者ＩＤ取得情報として送信する固定された来場者ＩＤ取得装置と、
該移動可能な来場者ＩＤ取得装置と該固定された来場者ＩＤ取得装置とに接続され配信対象の携帯端末にコンテンツを配信する情報配信装置と、からなる情報配信システムにおける情報配信装置に用いられる情報配信プログラムであって、
前記移動可能な来場者ＩＤ取得装置と前記固定された来場者ＩＤ取得装置とのうちいずれか一方または前記移動可能な来場者ＩＤ取得装置と前記固定された来場者ＩＤ取得装置との両方から送信される来場者ＩＤ取得情報を受信するステップと、
来場者ＩＤ取得情報の受信履歴に応じて携帯端末に配信するコンテンツを決定するためのアクションルールに基づいて、来場者ＩＤ取得情報の受信した履歴に応じたコンテンツをコンテンツデータベースから読み出すステップと、
読み出したコンテンツを前記来場者ＩＤに応じた配信対象となる携帯端末に配信するステップと、
をコンピュータに実行させるための情報配信プログラム。
【発明の詳細な説明】
【０００１】
【発明の属する技術分野】
この発明は、来場者ＩＤを利用して携帯端末にコンテンツを配信する情報配信装置に用いられる移動可能な来場者ＩＤ取得装置、情報配信装置、情報配信方法、情報配信プログラムに関するものである。
【０００２】
【従来の技術】
従来より、新製品や新しい技術を広く一般に公開する博覧会やイベントが催されている。これらの新製品や新しい技術を一般に知ってもらうために、来場者に対して、そのブースの説明員が口頭で説明したり、パンフレットやチラシを配布したりしている。
来場者は、会場案内図を参照し、自身が興味を持っている新製品や技術に関して展示されているブースを探し出して、目的のブースに出向き、パンフレットやチラシを受け取り、説明を聞き、新製品や技術について知識を得ている。
【０００３】
ところで、従来技術おけるリーダライタとして、無線を利用しているものがある（例えば、非特許文献１参照）。
【０００４】
【非特許文献１】
「非接触ＩＤ　手袋で読み取り」日経産業新聞、２００１年９月２１日、Ｐ１
【０００５】
【発明が解決しようとする課題】
しかしながら、来場者にパンフレットやチラシを配布する方法においては、来場者にとって、パンフレット等を受け取ると、それらを持ち帰らねばならず、しかも、多量のパンフレット等を受け取ると、荷物が嵩む上に重くなり、負担となってしまう問題点があった。
そこで、パンフレット等に記載する内容を電子データとして記録しておき、来場者からの要望に応じて電子メールなどを利用して配信することが考えられる。しかし、この方法を実現するためには、来場者ＩＤが記憶された記録媒体を来場者に配布し、配布した記録媒体に記憶された来場者ＩＤと来場者が所有する端末の電子メールアドレスと来場者ＩＤとをサーバに登録してもらう。そして、来場者が記録媒体を、興味があるブースに設置された来場者ＩＤ取得装置に対して読み取らせることにより、該ブースの新製品や技術に関する情報を配信することが考えられる。
【０００６】
しかし、この方法では、来場者が持ち帰るパンフレットやチラシの量を削減し、荷物の増大を低減できるが、リーダライタが固定されているために、来場者をリーダライタまで案内しなければならず、ブースの出展者にとって、来場者に対して積極的に情報を配信することができず、新製品や技術を効率的に紹介することができないという問題が発生することが考えられる。
【０００７】
一方、上述の非特許文献１に記載された文献においては、リーダライタによってＩＣチップのデータを読み取り、無線によってサーバにデータを送信している。しかしながら、この従来技術によれば、工場の生産管理に用いられるものであり、特に、作業員がＩＣチップの情報を読みとって新旧の部品を判別し、リサイクル効率を高める上で、作業員が行うデータの読み取り作業の効率化を図るために利用されている。すなわち、博覧会やイベント等に用いられるものではなかった。
【０００８】
本発明は、このような事情に鑑みてなされたもので、その目的は、集客能力を向上させ、出展者にとって積極的に情報を配信することができる移動可能な来場者ＩＤ取得装置、情報配信装置、情報配信方法、情報配信プログラムを提供することにある。
【０００９】
【課題を解決するための手段】
上記目的を達成するために、本発明は、来場者ＩＤに基づいて配信対象の携帯端末にコンテンツを配信する情報配信装置にコンテンツの配信を要求する移動可能な来場者ＩＤ取得装置であって、前記携帯端末とともに来場者によって携帯された前記来場者ＩＤを記憶した記録媒体から該来場者ＩＤを読み出す受信部と、前記受信部によって受信された来場者ＩＤを無線によって前記情報配信装置に送信する送信部とを有することを特徴とする。
【００１０】
また、本発明は、来場者ＩＤ取得装置の装置ＩＤに応じたコンテンツを来場者ＩＤに基づいて配信対象の携帯端末にコンテンツの配信要求をする情報配信装置に用いられる移動可能な来場者ＩＤ取得装置であって、前記携帯端末とともに来場者によって携帯された前記来場者ＩＤを記憶した記録媒体から該来場者ＩＤを読み出す受信部と、前記受信部によって受信した来場者ＩＤと自身に設定された装置ＩＤとを対応付けて来場者ＩＤ取得情報を生成する制御部と、前記制御部によって生成された来場者ＩＤ取得情報を無線によって前記情報配信装置に送信する送信部とを有することを特徴とする。
【００１１】
また、本発明は、コンテンツをコンテンツカテゴリ情報に対応付けて記憶するコンテンツデータベースと、コンテンツを選択するコンテンツ選択情報に対応するコンテンツを前記コンテンツデータベースから読み出して、来場者ＩＤ取得装置から受信する来場者を識別するための来場者ＩＤに基づいて、配信対象の携帯端末にコンテンツを配信する情報配信装置に用いられる移動可能な来場者ＩＤ取得装置であって、前記携帯端末とともに来場者によって携帯された前記来場者ＩＤを記憶した記録媒体から該来場者ＩＤを読み出す受信部と、前記携帯端末に配信するコンテンツのカテゴリを選択してコンテンツカテゴリ選択情報を入力するためのコンテンツカテゴリ選択部と、自身に設定された装置ＩＤと前記受信部によって受信した来場者ＩＤと前記コンテンツカテゴリ選択部によって選択されたコンテンツのカテゴリを無線によって前記情報配信装置に送信する送信部とを有することを特徴とする。
【００１２】
また、本発明は、上述の移動可能な来場者ＩＤ取得装置において、前記移動可能な来場者ＩＤ取得装置は、携帯されて移動可能であることを特徴とする。
【００１３】
また、本発明は、来場者を識別するための来場者ＩＤを取得し、取得した来場者ＩＤとコンテンツカテゴリ選択部から入力されるコンテンツのカテゴリを選択するためのコンテンツカテゴリ選択情報とを送信する来場者ＩＤ取得装置と、前記来場者ＩＤ取得装置に接続される情報配信装置とからなる情報配信システムにおける情報配信装置であって、コンテンツをカテゴリに分類する配信カテゴリ情報とコンテンツとを対応付けて記憶するコンテンツデータベースと、コンテンツカテゴリ選択情報と来場者ＩＤとを前記来場者ＩＤ取得装置から受信し、受信したコンテンツカテゴリ選択情報に対応するコンテンツを前記コンテンツデータベースから読み出し、受信した来場者ＩＤに基づいて、読み出したコンテンツを配信対象の携帯端末に配信する配信部と、を有することを特徴とする。
【００１４】
また、本発明は、来場者を識別するための来場者ＩＤを取得して自身に設定された装置ＩＤを付加して来場者ＩＤ取得情報として送信する移動可能な来場者ＩＤ取得装置と、来場者ＩＤを取得して自身に設定された装置ＩＤを付加して来場者ＩＤ取得情報として送信する固定された来場者ＩＤ取得装置と、該移動可能な来場者ＩＤ取得装置と該固定された来場者ＩＤ取得装置とに接続され配信対象の携帯端末にコンテンツを配信する情報配信装置と、からなる情報配信システムにおける情報配信装置であって、前記移動可能な来場者ＩＤ取得装置と前記固定された来場者ＩＤ取得装置とのうちいずれか一方または前記移動可能な来場者ＩＤ取得装置と前記固定された来場者ＩＤ取得装置との両方から送信される来場者ＩＤ取得情報を受信する受信部と、前記受信部が受信した来場者ＩＤ取得情報を記憶する来場者プロファイルデータベースと、来場者ＩＤ取得情報の受信履歴に応じて携帯端末に配信するコンテンツを決定するためのアクションルールに基づいて、前記来場者プロファイルデータベースに記憶された来場者ＩＤ取得情報の履歴に応じたコンテンツをコンテンツデータベースから読み出し、読み出したコンテンツを前記来場者ＩＤに応じた配信対象となる携帯端末に配信する配信部と、を有することを特徴とする。
【００１５】
また、本発明は、携帯端末とともに携帯された来場者ＩＤを記録した記録媒体から移動可能な来場者ＩＤ取得装置によって来場者ＩＤを取得し、取得した来場者ＩＤに基づいて、配信対象の携帯端末にコンテンツを配信することを特徴とする。
【００１６】
また、本発明は、来場者を識別するための来場者ＩＤを取得し、取得した来場者ＩＤとコンテンツカテゴリ選択部から入力されるコンテンツのカテゴリを選択するためのコンテンツカテゴリ選択情報とを送信する来場者ＩＤ取得装置と、前記来場者ＩＤ取得装置に接続される情報配信装置とからなる情報配信システムにおける情報配信装置に用いられる情報配信プログラムであって、コンテンツカテゴリ選択情報と来場者ＩＤとを前記来場者ＩＤ取得装置から受信するステップと、受信したコンテンツカテゴリ選択情報に対応するコンテンツをコンテンツをカテゴリに分類する配信カテゴリ情報とコンテンツとを対応付けて記憶するコンテンツデータベースから読み出すステップと、受信した来場者ＩＤに基づいて、読み出したコンテンツを配信対象の携帯端末に配信するステップとをコンピュータに実行させることを特徴とする。
【００１７】
また、本発明は、来場者を識別するための来場者ＩＤを取得して自身に設定された装置ＩＤを付加して来場者ＩＤ取得情報として送信する移動可能な来場者ＩＤ取得装置と、来場者ＩＤを取得して自身に設定された装置ＩＤを付加して来場者ＩＤ取得情報として送信する固定された来場者ＩＤ取得装置と、該移動可能な来場者ＩＤ取得装置と該固定された来場者ＩＤ取得装置とに接続され配信対象の携帯端末にコンテンツを配信する情報配信装置と、からなる情報配信システムにおける情報配信装置に用いられる情報配信プログラムであって、前記移動可能な来場者ＩＤ取得装置と前記固定された来場者ＩＤ取得装置とのうちいずれか一方または前記移動可能な来場者ＩＤ取得装置と前記固定された来場者ＩＤ取得装置との両方から送信される来場者ＩＤ取得情報を受信するステップと、来場者ＩＤ取得情報の受信履歴に応じて携帯端末に配信するコンテンツを決定するためのアクションルールに基づいて、来場者ＩＤ取得情報の受信した履歴に応じたコンテンツをコンテンツデータベースから読み出すステップと、読み出したコンテンツを前記来場者ＩＤに応じた配信対象となる携帯端末に配信するステップと、をコンピュータに実行させることを特徴とする。
【００１８】
【発明の実施の形態】
以下、本発明の一実施形態によるウェアラブルリーダライタ、情報配信装置を適用した情報配信システムを図面を参照して説明する。
図１は、この発明の一実施形態によるウェアラブルリーダライタ、情報配信装置を適用した情報配信システムの構成を示す概略ブロック図である。
この図において、情報配信システムは、固定リーダライタ６０がネットワーク１ｂに接続されるとともに、ウェアラブルリーダライタ５０が無線によって無線親機４５に接続され、無線親機４５がネットワーク１ｂに接続されるとともに、ネットワーク１ｂが、ネットワーク１ａに接続されたコンピュータ４０を介し、携帯電話３にコンテンツを配信する情報配信サーバ１に接続される。また、この情報配信システムには、携帯電話３、ＩＣタグ７０が用いられる。
【００１９】
携帯電話３は、博覧会やイベントなど（以下、単に「イベント」と称す）の会場に来場する来場者に携帯され、ネットワークを介して情報配信サーバ１と通信を行う携帯端末である。図１には、携帯端末として、携帯電話３のみ示されているが、ネットワークに接続し、データ通信を行う機能を有するものであれば、これに限られるものではない。例えば、ＰＤＡ（Ｐｅｒｓｏｎａｌ　Ｄｉｇｉｔａｌ　Ａｓｓｉｓｔａｎｔ）、ゲーム機、携帯用無線呼び出し機であるページャ等でもよい。また、この携帯端末は、図１には、１台のみ示されているが、１台以上接続されてもよい。なお、携帯端末であれば、その場で確認できるので、好適であるが、その他のパソコン（コンピュータ）やワークステーションなどの設置される情報端末であってもよい。
また、ここでいう来場者とは、本発明の情報配信システムによる情報配信サービスを利用する利用者のことである。
【００２０】
ＩＣタグ７０は、非接触型、接触型やハイブリッド型などがあり、例えば、このタグ７０は、ＲＦＩＤ（Ｒａｄｉｏ　Ｆｒｅｑｕｅｎｃｙ　Ｉｄｅｎｔｉｆｉｃａｔｉｏｎ）タグであり、来場者を識別するための情報であるタグＩＤを記憶しているとともに、ウェアラブルリーダライタ５０と固定リーダライタ６０と通信が可能であり、ウェアラブルリーダライタ５０と固定リーダライタ６０にタグＩＤを提供する。なお、このタグＩＤは、情報配信サーバ１側においては、来場者を識別するための来場者ＩＤとして利用される。また、ウェアラブルリーダライタ５０と固定リーダライタ６０に来場者ＩＤを提供し、来場者が携帯可能な記録媒体であれば、ＩＣタグ７０、ＲＦＩＤタグ等のうちいずれかあるいは、その他のものであってもよい。
また、このＩＣタグ７０は、イベント会場の入り口ゲートにおいて、来場する各来場者に発行され、各来場者によって携帯される。このＩＣタグ７０は、例えば、携帯端末（携帯電話３）やイベント会場に入場するための入場券などの媒体に取りつけられ、来場者に携帯される。
【００２１】
ウェアラブルリーダライタ５０と固定リーダライタ６０は、それぞれにリーダライタを識別するための装置ＩＤが付与されている。
ウェアラブルリーダライタ５０において、受信部５１は、ＩＣタグ７０から来場者ＩＤを読み出す。コンテンツカテゴリ選択部５２は、携帯端末に配信するコンテンツのカテゴリを選択してコンテンツカテゴリ選択情報を入力するためのものであり、例えば、テンキー、タッチパネル、複数のボタン、等によって構成可能である。記憶部５３は、自身に付与された装置ＩＤを記憶している。制御部５４は、受信部５１によって受信した来場者ＩＤと記憶部５３から読み出した装置ＩＤとコンテンツカテゴリ選択部５２によって選択されたコンテンツのカテゴリとを対応付けて来場者ＩＤ取得情報を生成する。
【００２２】
送信部５５は、来場者ＩＤには、制御部５４によって生成された来場者ＩＤ取得情報を無線によって無線親機４５に送信することにより、ネットワーク１ｂ、コンピュータ４０、ネットワーク１ａを介して情報配信サーバ１に送信する。
また、ウェアラブルリーダライタ５０は、例えば、図２に示すように、携帯されて移動可能に構成されている。この図においては、受信部５１とコンテンツカテゴリ選択部５２とが、手袋に取り付けられ説明員の手のひらに装着可能なユニット５０Ａ（取り付け部）に組み込まれ、制御部５４と記憶部５３と送信部５５とがベルトなどで説明員の腰に取り付けられたユニット５０Ｂ（取り付け部）に設けられている。このユニット５０Ａとユニット５０Ｂは、無線又は有線によって接続される。ユニット５０Ａとユニット５０Ｂは別体にしたが、一体にしてもよい。また、説明員は、１台のみならず、複数のウェアラブルリーダライタ５０と装着するようにしてもよい。
このウェアラブルリーダライタ５０が上述の移動可能な来場者ＩＤ取得装置に対応する。本発明において、来場者ＩＤ取得装置としては、リーダ機能（読み取り機能）だけでよく、ライタ機能（書き込み機能）をさらに備えていれば、ＩＣタグ７０に情報の書き込みが行える。
【００２３】
次に、固定リーダライタ６０において、受信部６１は、ＩＣタグ７０から来場者ＩＤを読み出す。記憶部６２は、自身に付与された装置ＩＤを記憶している。制御部６３は、受信部６１によって受信した来場者ＩＤと記憶部６２から読み出した装置ＩＤとを対応付けて来場者ＩＤ取得情報を生成する。送信部６４は、制御部６３によって生成された来場者ＩＤ取得情報をネットワーク１ｂ、コンピュータ４０、ネットワーク１ａを介して情報配信サーバ１に送信する。この固定リーダライタ６０が上述の固定された来場者ＩＤ取得装置に対応する。
【００２４】
これらウェアラブルリーダライタ５０と固定リーダライタ６０は、少なくとも１台ずつイベント会場内の各ブースに設けられる。
また、上述の装置ＩＤは、ウェアラブルリーダライタ５０と固定リーダライタ６０を識別するための情報であり、この装置ＩＤによって、イベント会場内に設けられたウェアラブルリーダライタ５０と固定リーダライタ６０の位置を識別し、把握することができる。これにより、ＩＣタグ７０のタグＩＤを検出したウェアラブルリーダライタ５０（固定リーダライタ６０）の装置ＩＤを把握することにより、来場者が訪問したブースを把握することができる。
【００２５】
無線親機４５は、ウェアラブルリーダライタ５０の送信部５５から送信される来場者ＩＤ取得情報を受信し、ネットワーク１ｂ、コンピュータ４０、ネットワーク１ａを介して情報配信サーバ１に送信する。
コンピュータ４０は、ネットワーク１ｂを介して無線親機４５または固定リーダライタ６０から送信される位置ＩＤを受信し、ネットワーク１ａを介して情報配信サーバ１に送信する。ネットワーク１ａ、ネットワーク１ｂは、例えば、ＬＡＮ（ローカルエリアネットワーク）が用いられる。
【００２６】
次に、情報配信サーバ１について、図３の概略ブロック図を用いて説明する。この図において、コンテンツデータベース１０９は、コンテンツをカテゴリに分類する配信カテゴリ情報とコンテンツとを対応付けて記憶する。この記憶されるコンテンツは、例えば、イベント会場内のブース毎の新製品や新しい技術などブースの出展者が来場者に対して配信する情報が含まれており、文字、動画、プログラムなどの電子的に流通可能な情報のことである。
配信カテゴリ情報は、例えば、図４に示すように、１つのブース内において３つに分類されており、この分類された配信情報カテゴリが、該ブース内に設けられた３つの固定リーダライタ６０の装置ＩＤにそれぞれ対応付けされている。また、カテゴリに分類されたコンテンツは、さらに複数（図４においては４つ）に分類されており、この分割されたコンテンツがコンテンツカテゴリ選択部５２によって選択されたコンテンツカテゴリ選択情報に対応付けられて記憶される。
図４では、１つのブースにおけるコンテンツについて説明したが、ブースが複数存在する場合には、図４に示すような、配信情報カテゴリとコンテンツカテゴリ選択情報とによって分類されたコンテンツが、ブース毎に記憶される。この場合、各ブースに設けられた固定リーダライタ６０の装置ＩＤと配信情報カテゴリ情報とが対応付けされているので、各ブースに応じたコンテンツを携帯端末に配信することが可能となっている。この情報配信サーバ１が上述の情報配信装置に相当する。
【００２７】
送信先情報データベース（以下、送信先ＤＢ）１０７は、コンテンツを配信する対象となる携帯端末を特定するための情報である送信先情報と来場者ＩＤとを対応付けて記憶する。送信先情報とは、携帯端末を特定し、配信情報を配信するために用いられる情報であり、例えば、電子メールアドレス、電話番号等である。なお、送信先情報として、送信先の携帯端末の機種名に関する機種情報も対応付けられて記憶される。
【００２８】
ここで、来場者ＩＤと送信先情報との登録について説明する。来場者ＩＤと送信先情報との登録は、イベント会場内に入場する際に、ＩＣタグ７０を来場者に手渡し、このＩＣタグ７０を手渡しした来場者によって携帯端末の電子メール申込用紙に記入してもらい、この記入された電子メールアドレスと該手渡ししたＩＣタグ７０の来場者ＩＤとが対応付けられて登録される。
【００２９】
ロケータエンジン１０２は、読み出し部１０３、受信部１０４、送信部１０５によって構成される。受信部１０４は、ネットワーク１ａを介してコンピュータ４０から送信される来場者ＩＤ取得情報を受信する。
来場者プロファイルデータベース（以下、「履歴ＤＢ」と称す）１０８は、受信部１０４が受信する来場者ＩＤ取得情報を履歴として来場者毎に記憶する。
アクションルールデータベース１０６は、来場者ＩＤ取得情報の受信履歴に応じて携帯端末に配信するコンテンツを決定するためのアクションルールを記憶する。
【００３０】
読み出し部１０３は、受信部１０４が受信した来場者ＩＤ取得情報に含まれる位置ＩＤに対応するコンテンツをコンテンツデータベース１０９から読み出す。また、読み出し部１０３は、アクションルールデータベース１０６に記憶されたプロファイル（履歴）に基づいて、来場者プロファイルデータベース１０８に記憶された来場者ＩＤ取得情報の履歴に応じたコンテンツをコンテンツデータベース１０９から読み出す。
【００３１】
ここで、アクションルールがコンテンツを決定する要素としては、例えば、１人の来場者が、１つのブース内において、ウェアラブルリーダライタ５０と固定リーダライタ６０とのうち、ＩＣタグ７０の読み取りを行った順序にコンテンツが決定される。例えば、ウェアラブルリーダライタ５０によってＩＣタグ７０の読み取りを行った後、固定リーダライタ６０によって読み取りを行った場合と、固定リーダライタ６０によってＩＣタグ７０の読み取りを行った後、ウェアラブルリーダライタ５０によってＩＣタグ７０の読み取りを行った場合の２通りがある。
【００３２】
配信部１０５は、来場者ＩＤ取得情報に含まれる来場者ＩＤに対応する送信先情報を送信先ＤＢ１０７から読み出し、読み出した送信先情報に対し、読み出し部１０３が読み出したコンテンツを配信する。この読み出し部１０３と配信部１０５の組み合わせが上述の配信部に相当する。
管理コンソール部１０１は、情報配信サーバ１の各部を制御する。
【００３３】
次に、上述した情報配信システムの動作について図５のフローチャートを用いて説明する。ここでは、ウェアラブルリーダライタ５０のコンテンツカテゴリ選択部５２によって生成されたコンテンツカテゴリ選択情報と固定リーダライタ６０の装置ＩＤに応じたコンテンツを配信する場合について説明する。
まず、ウェアラブルリーダライタ５０を携帯したブースの説明員は、来場者に対し、ブースにおいて展示・紹介されている新製品や技術内容について口頭で説明し、説明内容に興味を持った来場者に携帯電話３にコンテンツを配信してもよいかを尋ね、了承してもらった場合に、ＩＣタグ７０をウェアラブルリーダライタ５０の受信部５１の通信可能な領域内に近づけてもらう。そして、ウェアラブルリーダライタ５０を携帯したブースの説明員は、特にどの新製品に興味があるかを来場者に尋ね、来場者の回答に応じたコンテンツカテゴリ選択部５２のスイッチを押下し、送信ボタンを押す。さらに、ウェアラブルリーダライタ５０を携帯したブースの説明員は、この来場者に対し、興味を持った新製品について知りたい内容を選択してもらい、選択された内容に応じた固定リーダライタ６０にＩＣタグ７０を近づけてもらうように案内する（ここでは、固定リーダライタ６０毎に送信可能な内容の概要を示したプレートが予め設けられている）。
【００３４】
ＩＣタグ７０が通信可能な領域内にＩＣタグ７０が近づけられると、受信部５１は、ＩＣタグ７０の来場者ＩＤを読み取り（ステップＳ１）、コンテンツカテゴリ選択部５２の押下されたボタンに応じたコンテンツカテゴリ選択情報を生成し、この生成したコンテンツカテゴリ選択情報と来場者ＩＤと自身に設定された装置ＩＤとを無線親機４５、ネットワーク１ｂ、コンピュータ４０、ネットワーク１ａを介して情報配信サーバ１に送信する（ステップＳ３）。情報配信サーバ１は、ウェアラブルリーダライタ５０から送信されたコンテンツカテゴリ選択情報と来場者ＩＤと装置ＩＤとを受信し（ステップＳ４）、来場者プロファイルデータベース１０８に記憶する。
【００３５】
次に、固定リーダライタ６０は、来場者によってＩＣタグ７０が近づけられると、通信領域内に接近したＩＣタグ７０の来場者ＩＤを読み取り（ステップＳ５）、読み取った来場者ＩＤと自身に設定された装置ＩＤとを対応付けてネットワーク１ｂ、コンピュータ４０、ネットワーク１ａを介して情報配信サーバ１に送信する（ステップＳ６）。
【００３６】
情報配信サーバ１は、固定リーダライタ６０から送信された来場者ＩＤと装置ＩＤとを受信し（ステップＳ７）、来場者プロファイルデータベース１０８に記憶する。そして、ロケータエンジン１０２は、ウェアラブルリーダライタ５０と固定リーダライタ６０との装置ＩＤを比較し、同じブース内であることを検出した後、固定リーダライタ６０の装置ＩＤに対応する配信カテゴリ情報が設定されたコンテンツであって、かつ、コンテンツカテゴリ選択情報によって指定されたコンテンツを読み出し部１０３によって読み出し（ステップＳ８）、来場者ＩＤに対応する送信先情報を送信先情報データベース１０７から読み出し、配信部１０５によって配信対象の携帯電話３に配信する（ステップＳ９）。携帯電話３は、情報配信サーバ１から配信されたコンテンツを受信する（ステップＳ１０）。
【００３７】
ここでは、例えば、ウェアラブルリーダライタ５０によって来場者ＩＤの読み取りを行う際に、コンテンツカテゴリ選択部５２によって「緑茶」が選択され、「原料のこだわり」に対応する固定リーダライタ６０によってＩＣタグ７０の読み取りが行われた場合、コンテンツカテゴリ選択情報が「緑茶」であって、配信情報カテゴリ情報が「原料のこだわり」が設定されているコンテンツが携帯電話３に配信される。なお、コンテンツカテゴリ選択部５２によってコンテンツカテゴリの選択がなされなかった場合は、選択なし（デフォルト）の内容のコンテンツが配信される。このデフォルトのコンテンツは、コンテンツカテゴリ選択情報「緑茶」、「紅茶」、「ウーロン茶」のすべてに共通する内容が含まれる。
【００３８】
また、この実施形態において、固定リーダライタ６０による来場者ＩＤの読み取りを行うことなく、ウェアラブルリーダライタ５０によって読み取られた来場者ＩＤとコンテンツカテゴリ選択情報とに基づいて、コンテンツを配信するようにしてもよい。これにより、固定リーダライタ６０を用いることなくコンテンツを配信することが可能である。さらに、この場合においてデフォルトの情報のみ配信するようにすることにより、コンテンツカテゴリ選択部５２を設ける必要が無くなるので、ウェアラブルリーダライタ５０の構成を簡素化することができる。
【００３９】
次に、第２の実施形態として、ウェアラブルリーダライタ５０と固定リーダライタ６０とによって来場者ＩＤを受信した場合に、ＩＣタグ７０を読み取る順序に応じて、情報配信サーバ１がコンテンツを配信する場合について図６のフローチャートを用いて説明する。この実施形態においては、コンテンツカテゴリ選択部５２によるコンテンツカテゴリ選択情報の生成を行わないすなわち、常にデフォルトである場合について説明する。
また、この実施形態において、コンテンツデータベース１０９には、図７（ａ）に示すように、先に固定リーダライタ６０によって来場者ＩＤを受信し（「第１」の順序に相当）、次にウェアラブルリーダライタ５０によって来場者ＩＤを受信した（「第２」の順序に相当）場合における配信するコンテンツと、図７（ｂ）に示すように、先にウェアラブルリーダライタ５０によって来場者ＩＤを受信し（「第１」の順序に相当）、次に固定リーダライタ６０によって来場者ＩＤを受信した（「第２」の順序に相当）場合における配信するコンテンツが予め記憶される。
【００４０】
まず、情報配信サーバ１は、来場者ＩＤと装置ＩＤとを受信すると（ステップＳ２１）、受信した装置ＩＤに基づいて、ウェアラブルリーダライタ５０の装置ＩＤ及び固定リーダライタ６０の装置ＩＤを記憶したテーブル（図示せず）を参照し、固定リーダライタ６０から受信したか否かを検出する（ステップＳ２２）。固定リーダライタ６０から受信したことが検出された場合、ロケータエンジン１０２は、アクションルールデータベース１０６に記憶されたアクションルール「第１の順序が固定リーダライタ６０による来場者ＩＤの読み取りありであって、第２の順序となるウェアラブルリーダライタ５０による来場者ＩＤの読み取りなし」のアクションルールを読み出し、この「第１の順序が固定リーダライタ６０による来場者ＩＤの読み取りありであって、第２の順序となるウェアラブルリーダライタ５０による来場者ＩＤの読み取りなし」のアクションルールに対応するコンテンツ「商品機能説明」をコンテンツデータベースから読み出し部１０３によって読み出し、配信部１０５によって、来場者ＩＤに対応する携帯電話３に配信する（ステップＳ２３）。
【００４１】
そして、ステップＳ２１において受信した来場者ＩＤと同じ来場者ＩＤをウェアラブルリーダライタ５０から受信した場合（ステップＳ２４）、ロケータエンジン１０２は、アクションルールデータベース１０６から「第１の順序が固定リーダライタ６０による来場者ＩＤの読み取りありであって、第２の順序となるウェアラブルリーダライタ５０による来場者ＩＤの読み取りあり」のアクションルールを読み出し、このアクションルールに対応するコンテンツ「商品予定価格、販売開始時期」をコンテンツデータベース１０９から読み出して携帯電話３に配信する（ステップＳ２５）。
【００４２】
一方、ステップ２２において、ウェアラブルリーダライタ５０から来場者ＩＤを受信していた場合、ロケータエンジン１０２は、アクションルールデータベース１０６から「第１の順序がウェアラブルリーダライタ５０による来場者ＩＤの読み取りありであって、第２の順序となる固定リーダライタ６０による来場者ＩＤの読み取りなし」のアクションルールを読み出し、このアクションルールに対応するコンテンツ「景品進呈案内、商品説明（１）」をコンテンツデータベース１０９から読み出して携帯電話３に配信する（ステップＳ２６）。
【００４３】
そして、ステップＳ２１において受信した来場者ＩＤと同じ来場者ＩＤを固定リーダライタ６０から受信した場合（ステップＳ２７）、ロケータエンジン１０２は、アクションルールデータベース１０６から「第１の順序がウェアラブルリーダライタ５０による来場者ＩＤの読み取りありであって、第２の順序となる固定リーダライタ６０による来場者ＩＤの読み取りあり」のアクションルールを読み出し、このアクションルールに対応するコンテンツ「商品説明（２）」をコンテンツデータベース１０９から読み出して携帯電話３に配信する（ステップＳ２８）。
【００４４】
この実施形態においては、ウェアラブルリーダライタ５０と固定リーダライタ６０とが来場者ＩＤを受信した順序に応じたコンテンツを配信するようにした。これにより、最初に固定リーダライタ６０にＩＣタグ７０の読み取りを行わせた来場者のなかから、ウェアラブルリーダライタ５０を携帯している説明員が、ブースが出展している新商品や技術に興味を持っている来場者を選び出し、ウェアラブルリーダライタ５０によってＩＣタグ７０を読み取らせることが可能となる。これにより、ブースが出展している新商品や技術に興味を持っている来場者のみを対象に、通常よりもより詳細な情報（特別な情報）を配信することができ、商品や技術について、コンテンツを効率よく配信することができる。
【００４５】
また、この実施形態においては、最初にウェアラブルリーダライタ５０にＩＣタグ７０の読み取りを行わせた場合に「景品進呈案内」を配信し、次に固定リーダライタ６０による来場者ＩＤの読み取りを行わせるようにした。これにより、ブースに立ち寄るか否かについて迷っている来場者に対し、ウェアラブルリーダライタ５０を携帯している説明員が、来場者ＩＤの読み取りを行わせてもらい、ブース内に立ち寄った場合に景品を進呈することを通知する景品進呈案内の情報を配信することができるので、景品を進呈することをきっかけに、ブース内に訪問するか否かについて迷っている来場者をブース内に訪問させることができ、集客能力を向上させることができる。
【００４６】
なお、この実施形態においては、常にデフォルトである場合について説明したが、図７に示すコンテンツについてコンテンツカテゴリ選択情報毎にコンテンツを分類しておくことにより、来場者が興味を持っているコンテンツを配信することが可能である。
また、この実施形態における、ステップＳ２４においてウェアラブルリーダライタ５０によって来場者ＩＤを受信したか否かの検出およびステップＳ２７における固定リーダライタ６０によって来場者ＩＤを受信したか否かの検出については、所定の時間を経過しても来場者ＩＤの受信ができなかった場合に、ステップＳ２５（ステップＳ２８）におけるコンテンツの配信を行わないようにしてもよい。
【００４７】
また、図３における読み出し部１０３、受信部１０４、配信部１０５の機能を実現させるためのプログラムまたは、図１における受信部５１、コンテンツカテゴリ選択部５２、制御部５４、送信部５５の機能を実現させるためのプログラムまたは、図１における受信部６１、制御部６３、送信部６４の機能を実現するためのプログラムをコンピュータ読み取り可能な記録媒体に記録して、この記録媒体に記録されたプログラムをコンピュータシステムに読み込ませ、実行することにより情報配信処理、来場者ＩＤの送信処理を行ってもよい。なお、ここでいう「コンピュータシステム」とは、ＯＳや周辺機器等のハードウェアを含むものとする。
【００４８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４９】
以上、この発明の実施形態を図面を参照して詳述してきたが、具体的な構成はこの実施形態に限られるものではなく、この発明の要旨を逸脱しない範囲の設計等も含まれる。
【００５０】
【発明の効果】
以上説明したように、この発明によれば、受信した来場者ＩＤに基づいて配信対象の携帯端末にコンテンツを配信する情報配信装置に用いられる移動可能な来場者ＩＤ取得装置において、来場者によって携帯された前記来場者ＩＤを記憶した記録媒体から該来場者ＩＤを読み出し、読み出した来場者ＩＤを無線によって情報配信装置に送信するようにしたので、情報を配信したい説明員が移動可能な来場者ＩＤ取得装置を持ち歩き、来場者に対して情報配信を促すことができるので、情報提供者側から積極的に情報を配信するように推奨することができ、情報の配信対象者を増加させることが可能となる。
【００５１】
また、この発明によれば、読み出した来場者ＩＤに対し、来場者ＩＤ取得装置に設定された装置ＩＤとを対応付けてを無線によって情報配信装置に送信するようにしたので、来場者ＩＤを受信する来場者ＩＤ取得装置に応じて、異なるコンテンツを配信することができ、来場者にとって、受け取ることができる情報の選択肢を増やすことができる。
【００５２】
また、本発明によれば、来場者ＩＤ取得装置に設定された装置ＩＤと受信した来場者ＩＤとコンテンツカテゴリ選択部によって選択されたコンテンツのカテゴリを無線によって情報配信装置に送信するようにしたので、移動可能な来場者ＩＤ取得装置を持ち歩く説明員が来場者の好みを聞き出すことにより、来場者が興味をもっている内容に適したコンテンツを配信することができる効果が得られる。
また、来場者にとって、自らが進んでコンテンツを選択する操作を行う手間を省くことができる。
【図面の簡単な説明】
【図１】この発明の一実施形態によるウェアラブルリーダライタ、情報配信装置を適用した情報配信システムの構成を示す概略ブロック図である。
【図２】ウェアラブルリーダライタ５０を携帯する場合の一例を示す図である。
【図３】情報配信サーバ１の構成を示す概略ブロック図である。
【図４】配信情報カテゴリ情報が設定されたコンテンツの一例を示す図面である。
【図５】第１の実施形態における情報配信システムの動作について説明するためのフローチャートである。
【図６】第２の実施形態における情報配信サーバ１がコンテンツを配信する場合について説明するためのフローチャートである。
【図７】第２の実施形態におけるコンテンツデータベース１０９に記憶される情報の一例を示す図面である。
【符号の説明】
１　情報配信サーバ　　　　　　　　　　　３　携帯電話
５０　ウェアラブルリーダライタ　　　　　５１、６１　受信部
５２　コンテンツカテゴリ選択部　　　　　５３、６２　記憶部
５４、６３　制御部　　　　　　　　　　　５５、６４　送信部
６０　固定リーダライタ　　　　　　　　　７０　ＩＣタグ
１０２　ロケータエンジン　　　　　　　　１０３　読み出し部
１０４　受信部　　　　　　　　　　　　　１０５　配信部
１０６　アクションルールデータベース
１０７　送信先情報データベース
１０８　ユーザプロファイルデータベース
１０９　コンテンツデータベース
【図１】
2004102629.tif 000003
【図２】
2004102629.tif 000004
【図３】
2004102629.tif 000005
【図４】
2004102629.tif 000006
【図５】
2004102629.tif 000007
【図６】
2004102629.tif 000008
【図７】
2004102629.tif 000009